【手続補正書】
【提出日】平成21年12月25日(2009.12.25)
【手続補正１】
【補正対象書類名】特許請求の範囲
【補正対象項目名】全文
【補正方法】変更
【補正の内容】
【特許請求の範囲】
【請求項１】
ｍ本（ｍは自然数）の走査線に信号を供給する走査線駆動回路を有し、
前記走査線駆動回路を構成するシフトレジスタには、前記走査線毎に対応するフリップフロップ回路が少なくとも４ｋ段（ｋは自然数）ずつ設けられており、
前記シフトレジスタに異なるタイミングのスタートパルスが入力されることにより、一走査線選択期間の前半期間において前記走査線を選択する第１選択信号と、前記一走査線選択期間の後半期間において前記走査線を選択する第２選択信号とが、前記走査線に出力されることを特徴とする表示装置。
【請求項２】
ｍ本（ｍは２以上の自然数）の走査線に信号を供給する走査線駆動回路を有し、
前記走査線駆動回路を構成するシフトレジスタには、前記走査線のうち、第１乃至第（ｍ−１）本目の走査線毎に対応するフリップフロップ回路が少なくとも４ｋ段（ｋは自然数）ずつ設けられ、ｍ本目の走査線に対応するフリップフロップ回路が少なくとも１段設けられており、
前記シフトレジスタに異なるタイミングのスタートパルスが入力されることにより、一走査線選択期間の前半期間において前記走査線を選択する第１選択信号と、前記一走査線選択期間の後半期間において前記走査線を選択する第２選択信号とが、前記走査線に出力されることを特徴とする表示装置。
【請求項３】
ｍ本（ｍは自然数）の走査線に信号を供給する走査線駆動回路を有し、
前記走査線駆動回路を構成するシフトレジスタには、前記走査線毎に対応するフリップフロップ回路が少なくとも４ｋ段（ｋは自然数）ずつ設けられており、
前記シフトレジスタに異なるタイミングのスタートパルスが入力されることにより、一走査線選択期間の第１の期間において前記走査線に接続された画素にビデオデータを入力するための信号と、前記一走査線選択期間の第２の期間において前記走査線に接続された画素に入力されたビデオデータを消去するための信号とが、前記走査線に出力されることを特徴とする表示装置。
【請求項４】
ｍ本（ｍは２以上の自然数）の走査線に信号を供給する走査線駆動回路を有し、、
前記走査線駆動回路を構成するシフトレジスタには、前記走査線のうち、第１乃至第（ｍ−１）本目の走査線毎に対応するフリップフロップ回路が少なくとも４ｋ段（ｋは自然数）ずつ設けられ、ｍ本目の走査線に対応するフリップフロップ回路が少なくとも１段設けられており、
前記シフトレジスタに異なるタイミングのスタートパルスが入力されることにより、一走査線選択期間の第１の期間において前記走査線に接続された画素にビデオデータを入力するための信号と、前記一走査線選択期間の第２の期間において前記走査線に接続された画素に入力されたビデオデータを消去するための信号とが、前記走査線に出力されることを特徴とする表示装置。
【請求項５】
ｍ本（ｍは自然数）の走査線に信号を供給する走査線駆動回路を有し、、
前記走査線駆動回路を構成するシフトレジスタには、前記走査線毎に対応するフリップフロップ回路が少なくとも４ｋ段（ｋは自然数）ずつ設けられており、
前記シフトレジスタに異なるタイミングのスタートパルスが入力されることにより、一走査線選択期間の第１の期間において前記走査線に接続された画素に第１のビデオデータを入力するための信号と、前記一走査線選択期間の第２の期間において前記走査線に接続された画素に第２のビデオデータを入力するための信号とが、前記走査線に出力されることを特徴とする表示装置。
【請求項６】
ｍ本（ｍは２以上の自然数）の走査線に信号を供給する走査線駆動回路を有し、、
前記走査線駆動回路を構成するシフトレジスタには、前記走査線のうち、第１乃至第（ｍ−１）本目の走査線毎に対応するフリップフロップ回路が少なくとも４ｋ段（ｋは自然数）ずつ設けられ、ｍ本目の走査線に対応するフリップフロップ回路が少なくとも１段設けられており、
前記シフトレジスタに異なるタイミングのスタートパルスが入力されることにより、一走査線選択期間の第１の期間において前記走査線に接続された画素に第１のビデオデータを入力するための信号と、前記一走査線選択期間の第２の期間において前記走査線に接続された画素に第２のビデオデータを入力するための信号とが、前記走査線に出力されることを特徴とする表示装置。
【請求項７】
ｍ本（ｍは自然数）の走査線に信号を供給する走査線駆動回路を有し、、
前記走査線駆動回路を構成するシフトレジスタには、前記走査線毎に対応するフリップフロップ回路が少なくとも４ｋ段（ｋは自然数）ずつ設けられており、
前記シフトレジスタに異なるタイミングのスタートパルスが入力されることにより、一走査線選択期間の第１の期間において前記走査線を選択する信号と、前記一走査線選択期間の第２の期間において前記走査線を選択する信号とが、前記走査線に出力され、
前記第１の期間及び前記第２の期間における前記走査線に出力される信号は、前記走査線の１本に対応する４ｋ段のフリップフロップ回路のうち、いずれか一のフリップフロップ回路より出力される信号であることを特徴とする表示装置。
【請求項８】
ｍ本（ｍは２以上の自然数）の走査線に信号を供給する走査線駆動回路を有し、、
前記走査線駆動回路を構成するシフトレジスタには、前記走査線のうち、第１乃至第（ｍ−１）本目の走査線毎に対応するフリップフロップ回路が少なくとも４ｋ段（ｋは自然数）ずつ設けられ、ｍ本目の走査線に対応するフリップフロップ回路が少なくとも１段設けられており、
前記シフトレジスタに異なるタイミングのスタートパルスが入力されることにより、一走査線選択期間の第１の期間において前記走査線を選択する信号と、前記一走査線選択期間の第２の期間において前記走査線を選択する信号とが、前記走査線に出力され、
前記第１の期間及び前記第２の期間における前記走査線に出力される信号は、前記走査線の１本に対応する４ｋ段のフリップフロップ回路のうち、いずれか一のフリップフロップ回路より出力される信号であることを特徴とする表示装置。
【請求項９】
ｍ本（ｍは自然数）の走査線に信号を供給する走査線駆動回路を有し、、
前記走査線駆動回路を構成するシフトレジスタには、前記走査線毎に対応するフリップフロップ回路が少なくとも４ｋ段（ｋは自然数）ずつ設けられており、
前記シフトレジスタに異なるタイミングのスタートパルスが入力されることにより、一走査線選択期間の第１の期間において前記走査線に接続された画素にビデオデータを入力するための信号と、前記一走査線選択期間の第２の期間において前記走査線に接続された画素に入力されたビデオデータを消去するための信号とが、前記走査線に出力され、
前記第１の期間及び前記第２の期間における前記走査線に出力される信号は、前記走査線の１本に対応する４ｋ段のフリップフロップ回路のうち、いずれか一のフリップフロップ回路より出力される信号であることを特徴とする表示装置。
【請求項１０】
ｍ本（ｍは２以上の自然数）の走査線に信号を供給する走査線駆動回路を有し、、
前記走査線駆動回路を構成するシフトレジスタには、前記走査線のうち、第１乃至第（ｍ−１）本目の走査線毎に対応するフリップフロップ回路が少なくとも４ｋ段（ｋは自然数）ずつ設けられ、ｍ本目の走査線に対応するフリップフロップ回路が少なくとも１段設けられており、
前記シフトレジスタに異なるタイミングのスタートパルスが入力されることにより、一走査線選択期間の第１の期間において前記走査線に接続された画素にビデオデータを入力するための信号と、前記一走査線選択期間の第２の期間において前記走査線に接続された画素に入力されたビデオデータを消去するための信号とが、前記走査線に出力され、
前記第１の期間及び前記第２の期間における前記走査線に出力される信号は、前記走査線の１本に対応する４ｋ段のフリップフロップ回路のうち、いずれか一のフリップフロップ回路より出力される信号であることを特徴とする表示装置。
【請求項１１】
請求項１乃至請求項１０のいずれか一項において、
前記走査線駆動回路において、前記スタートパルスが入力される前記走査線の１本目に対応するフリップフロップ回路の前段には、少なくとも１つのフリップフロップ回路がさらに設けられていることを特徴とする表示装置。
【請求項１２】
請求項１乃至請求項１１のいずれか一項において、
前記表示装置は、複数の画素と、信号線駆動回路と、前記走査線駆動回路を有し、
前記複数の画素と、前記信号線駆動回路と、前記走査線駆動回路は、同じ基板上に設けられていることを特徴とする表示装置。
【請求項１３】
請求項１２において、
前記複数の画素には、それぞれ発光素子と、前記発光素子を駆動するためのトランジスタと、前記画素を選択するためのトランジスタとが設けられていることを特徴とする表示装置。
【請求項１４】
請求項１乃至請求項１３に記載の表示装置を有することを特徴とする電子機器。